(57)【要約】【課題】  ユーザが簡単な操作で複数の通信機能を選択できると共に、接続できない時には、他の通信機能を自動で選択して起動することができる携帯電話端末および携帯電話通信システムを提供する。【解決手段】  ユーザは、通信相手のＡさん、Ｂさん、Ｃさんそれぞれについて、発信する時の複数の通信機能の優先度を電話帳メモリの符号２７の発信優先度の欄に事前登録する。そして、発信時、ユーザがＡさんを指定して発信操作を行うと、Ａさんに対する発信優先度「ＴＶ電話→音声電話→チャット→メール」の順序で、それらの通信機能の起動とアドレス設定と発信が自動で行われる。【選択図】  図２
2006140664.tif 000002
【特許請求の範囲】
【請求項１】
ＴＶ電話、音声通話、チャット、メール等の複数の通信機能を有する携帯電話端末であって、
前記複数の通信機能の発信時の優先度を設定する優先度設定手段と、
前記優先度を記憶する優先度記憶手段と、
発信時に前記優先度の順序で発信する発信手段と
を具備することを特徴とする携帯電話端末。
【請求項２】
ＴＶ電話、音声通話、チャット、メール等の複数の通信機能を有する携帯電話端末であって、
通信相手の名前、電話番号、メールアドレス等を記憶する電話帳記憶手段と、
前記通信相手毎に、前記複数の通信機能の発信時の優先度を設定する優先度設定手段と、
前記優先度を記憶する優先度記憶手段と、
発信時に前記通信相手毎の前記優先度の順序で発信する発信手段と
を具備することを特徴とする携帯電話端末。
【請求項３】
複数の通信機能を有する発信側の携帯電話端末と複数の通信機能を有する着信側の携帯電話端末とを有する携帯電話通信システムであって、
前記着信側の携帯電話端末は、
前記複数の通信機能それぞれについて着信許可を設定する着信許可設定手段と、
前記着信許可の通信機能を記憶する着信許可記憶手段と、
前記着信許可の通信機能以外の着信があった時に、前記着信許可の通信機能を発信側に通知する通知手段と
を備え、前記発信側の携帯電話端末は、
前記着信側の携帯電話端末から送信された前記着信許可の通信機能を受信した時、当該着信許可の通信機能のいずれかにより前記着信側へ発信する発信手段を具備することを特徴とする携帯電話通信システム。
【請求項４】
複数の通信機能を有する発信側の携帯電話端末と複数の通信機能を有する着信側の携帯電話端末とを有する携帯電話通信システムの発信側の携帯電話端末であって、
前記着信側の携帯電話端末から送信される着信許可の通信機能を受信した時、当該着信許可の通信機能のいずれかにより前記着信側へ発信する発信手段を具備することを特徴とする発信側の携帯電話端末。
【請求項５】
複数の通信機能を有する発信側の携帯電話端末と複数の通信機能を有する着信側の携帯電話端末とを有する携帯電話通信システムの着信側の携帯電話端末であって、
前記複数の通信機能それぞれについて着信許可を設定する着信許可設定手段と、
前記着信許可した通信機能を記憶する着信許可記憶手段と、
前記着信許可した通信機能以外の着信があった時に、前記着信許可した通信機能を発信側に通知する通知手段と
を具備することを特徴とする携帯電話通信システムの着信側の携帯電話端末。
【請求項６】
複数の通信機能を有する発信側の携帯電話端末と複数の通信機能を有する着信側の携帯電話端末とを有する携帯電話通信システムの着信側の携帯電話端末であって、
マナーモード、ドライブモード等の状況モード設定を行う状況モード設定手段と、
前記各状況モード毎に前記複数の通信機能の着信許可を設定する着信許可設定手段と、
前記着信許可の通信機能を記憶する着信許可記憶手段と、
前記状況モードが設定された状態で、当該設定された状況モードに対応する前記着信許可の通信機能以外の着信があった時に、当該設定された状況モードに対応する前記着信許可の通信機能を発信側に通知する通知手段と
を具備することを特徴とする携帯電話通信システムの着信側の携帯電話端末。
【発明の詳細な説明】
【技術分野】
【０００１】
本発明は、ＴＶ電話、音声電話、チャット、電子メール等の複数の通信機能を有する携帯電話端末および携帯電話通信システムに関するもので、特に、複数の通信機能の選択と自動起動に関する。
【背景技術】
【０００２】
電話発信およびメール送信を行うことができる電話端末装置がある（例えば、特許文献１参照。）。この特許文献１の電話端末装置にあっては、発信側が電話回線を介して相手に呼び出しをかけて、その相手が不在、話中等で接続できないとき、発信側が自動で、相手の電話番号とメールアドレスを記憶している記憶テーブルを参照して、同一の相手に伝言メッセージをメール送信できるようにしている。それにより、発信側のユーザはメール送信のための再操作が不要となり、使い勝手を向上させている。
【特許文献１】特開平７−５８８４５号公報（第３〜４頁、図１、図２）
【発明の開示】
【発明が解決しようとする課題】
【０００３】
近年、ＴＶ電話、音声通信、チャット、電子メール等の複数の通信機能を有する携帯電話端末が出現している。この携帯電話端末のユーザは、複数の通信機能の選択を手動で行い、起動している。この複数の通信機能のいずれかが接続できない時に、他の通信機能をどのように選択するかは、従来の特許文献１には開示されてない。  
本発明は、上記の問題点を解決するためになされたもので、携帯電話端末のユーザが簡単な操作で複数の通信機能を選択できると共に、接続できない時には、他の通信機能を自動で選択して起動することができる携帯電話端末および携帯電話通信システムを提供することを目的とする。
【課題を解決するための手段】
【０００４】
上記目的を達成するために、本発明の携帯電話端末は、ＴＶ電話、音声通話、チャット、メール等の複数の通信機能を有する携帯電話端末であって、前記複数の通信機能の発信時の優先度を設定する優先度設定手段と、前記優先度を記憶する優先度記憶手段と、発信時に前記優先度の順序で発信する発信手段とを具備することを特徴とする。
【０００５】
また、本発明の携帯電話通信システムは、複数の通信機能を有する発信側の携帯電話端末と複数の通信機能を有する着信側の携帯電話端末とを有する携帯電話通信システムであって、前記着信側の携帯電話端末は、前記複数の通信機能それぞれについて着信許可を設定する着信許可設定手段と、前記着信許可の通信機能を記憶する着信許可記憶手段と、前記着信許可の通信機能以外の着信があった時に、前記着信許可の通信機能を発信側に通知する通知手段とを備え、前記発信側の携帯電話端末は、前記着信側の携帯電話端末から送信された前記着信許可の通信機能を受信した時、当該着信許可の通信機能のいずれかにより前記着信側へ発信する発信手段を具備することを特徴とする。
【発明の効果】
【０００６】
本発明によれば、携帯電話端末のユーザが簡易な操作で複数の通信機能を選択できると共に、接続できない時には、他の通信機能を自動で選択して起動することが可能となる。
【発明を実施するための最良の形態】
【０００７】
以下、本発明の実施例を、図面を参照して説明する。  
図１は、本発明の各実施例にかかる携帯電話端末のブロック図である。この携帯電話端末は、複数の通信機能として、ＴＶ電話、音声電話、チャット、メールの通信機能を有している。携帯電話端末の主要部は、カメラ１、表示器２、マイク３、スピーカ４、キー入力部５、制御部６、電話帳メモリ７、発信優先度記憶部８、着信可能記憶部９、通信部１０、アンテナ１１などにより構成されている。更に、制御部６は、ＴＶ電話制御部６１、音声電話制御部６２、チャット制御部６３、メール制御部６４、発信優先度設定部６５、着信状況モード設定部６６、着信許可設定部６７などにより構成されている。
【０００８】
次に、各部の機能について説明する。ＴＶ電話制御部６１は、カメラ１からの入力画像および表示器２へ表示する出力画像の画像コーデック処理、マイク３からの入力音声およびスピーカ４への出力音声の音声コーデック処理、通信制御などを行って、ＴＶ電話による通信機能を制御する。音声電話制御部６２は、マイク３からの入力音声およびスピーカ４への出力音声の音声コーデック処理、通信制御などを行って、音声電話による通信機能を制御する。チャット制御部６３は、キー入力部５からの入力データおよび表示器２へ表示する出力データの処理、通信制御などを行って、チャットによる通信機能を制御する。メール制御部６４は、キー入力部５からの入力データおよび表示器２へ表示する出力データの処理、通信制御などを行って、メールによる通信機能を制御する。
【０００９】
発信優先度設定部６５は、発信時のための設定であり、ユーザ操作によるキー入力部５からの信号により、複数の通信機能であるＴＶ電話、音声電話、チャット、メールの発信順序を設定する。そして、この設定した発信順序を発信優先度記憶部８に記憶する。この設定は、電話帳７に登録されている通信相手毎に設定してもよく、その場合は、通信相手毎の発信順序を電話帳７に記憶する。
【００１０】
着信状況モード設定部６７は、着信時のための設定であり、ユーザ操作によるキー入力部５からの入力データにより、マナーモードやドライブモードなどの設定を行う。  
着信許可設定部６６は、着信時のための設定であり、ユーザ操作によるキー入力部５からの信号により、複数の通信機能であるＴＶ電話、音声電話、チャット、メールの内、どの通信機能について着信許可するかを設定する。この設定は、マナーモードやドライブモードなどの着信状況モード毎に設定してもよい。または、着信状況モードとは無関係に、着信可能な組み合わせを複数パターン用意してもよい。そして、この設定した着信許可の通信機能の種類を着信許可記憶部９に記憶する。  
通信部１０は、変調復調処理や、ＲＦコンバートなどの処理を行い、アンテナ１１から電波として送信受信を行う。
【実施例１】
【００１１】
発信側の携帯電話端末に関する実施例１を以下に説明する。  
図２は、携帯電話端末の電話帳メモリ７のデータ構成を示す図である。通信相手の例として、Ａさん、Ｂさん、Ｃさんに関するデータ構成例について示す。符号２１の行は、Ａさん所有の携帯電話端末に関するデータが記憶され、符号２４の列に名前「Ａさん」、符号２５の列に電話番号「１２３−４５６−７８９０」、符号２６の列にメールアドレス「ａｂｃ＠ｄｅｆｇ」、符号２７の列にＡさんに対して発信する時の発信優先度「ＴＶ電話→音声電話→チャット→メール」が記憶される。
【００１２】
同様に、符号２２の行には、同様に、Ｂさんに関する名前「Ｂさん」、電話番号「２３４−５６７−８９０１」、メールアドレス「ｂｃｄ＠ｅｆｇｈ」、発信優先度「音声電話→チャット→メール」が、符号２３の行には、Ｃさんに関する名前「Ｃさん」、電話番号「３４５−６７８−９０１２」、メールアドレス「ｃｄｅ＠ｆｇｈｉ」、発信優先度「メール→チャット→音声電話→ＴＶ電話」がそれぞれ記憶される。
【００１３】
図３は、図２の電話帳メモリの発信優先度の登録を表すフローチャートである。まず、電話帳メモリ７を読み出し（ステップＳ１）、Ａさんを指定する（ステップＳ２）。ユーザは、Ａさんに対して発信する時の発信優先度を決めるが、ユーザの都合のみで決めても良いし、または、予め、通信相手のＡさんが所有している携帯電話端末の通信機能を知って、それをもとに優先度を決めても良い。この例では、発信優先度「ＴＶ電話→音声電話→チャット→メール」を決めて、電話帳メモリに記憶する（ステップＳ３）。  
次に、Ｂさんを指定して（ステップＳ４）、発信優先度を登録して電話帳メモリに記憶する（ステップＳ５）。  次に、Ｃさんを指定して（ステップＳ６）、発信優先度を登録して電話帳メモリに記憶する（ステップＳ７）。
【００１４】
図４は、発信時の制御を表すフローチャートである。まず、電話帳メモリを読み出して（ステップＳ１１）、ユーザは、発信したい相手であるＡさんを指定する（ステップＳ１２）。なお、発信したい宛先の選択は、電話帳メモリに限らず、送信履歴等でＡさんを指定してもよい。  
そして、ユーザが発信操作を行うと（ステップＳ１３の有り）、制御部は、指定された宛先に該当する電話帳メモリのＡさんへの発信優先度「ＴＶ電話→音声電話→チャット→メール」の順序に従って、まず、発信優先度１番目のＴＶ電話を起動し、Ａさんの電話番号を設定し、発信する（ステップＳ１４）。そして、Ａさんの携帯電話端末からの応答が有れば（ステップＳ１５の有り）、ＴＶ電話通話を行う（ステップＳ１６）。
【００１５】
ステップＳ１５で、制御部は、Ａさんの携帯電話端末からの応答信号が所定時間なければ応答が無いと判断して、発信優先度２番目の音声電話を起動し、Ａさんの電話番号を設定して発信する（ステップＳ１７）。そして、Ａさんの携帯電話端末からの応答が有れば（ステップＳ１８の有り）、音声電話通話を行う（ステップＳ１９）。
【００１６】
ステップＳ１８で応答が無ければ、制御部は、発信優先度３番目のチャットを起動し、Ａさんのメールアドレスを設定して発信する（ステップＳ２０）。そして、Ａさんの携帯電話端末からの応答が有れば（ステップＳ２１の有り）、チャットを行う（ステップＳ２２）。  
ステップＳ２１で応答が無ければ、制御部は、発信優先度４番目のメールを起動し、Ａさんのメールアドレスを設定する（ステップＳ２３）。そして、メール送信動作を行う（ステップＳ２４）。  なお、ステップＳ１４、Ｓ１７、Ｓ２０、Ｓ２３において、自動で、通信機能の起動、宛先設定、発信を行ったが、発信については、ユーザが最終決定するようにしてもよい。  
また、通信相手毎に発信優先度を登録したが、通信相手を特定せずに一律の発信優先度を登録してもよい。  
また、最初の発信はユーザが複数の通信機能の内の１つを指定して行い、これに応答がない場合に発信優先度に従って自動的に発信手段が選択されるようにしてもよい。
【００１７】
このように実施例１によれば、ユーザは通信相手を指定しさえすれば、自動で発信優先度の順序で起動する。従って、ユーザは、操作にわずらわされることなく、複数の通信機能を予め決めた順序で起動することができる。
【実施例２】
【００１８】
着信側の携帯電話端末およびそれに対応する発信側の携帯電話端末に関連する実施例２を以下に説明する。  
図５は、携帯電話端末の着信許可記憶部９のデータ構成を示す図であり、複数種類の許可パターンを設ける構成について示す。携帯電話端末のユーザは、当該ユーザが置かれている状況、たとえば、会議中、運転中、電車の中、映画館の中などの状況に応じて、着信を許可する通信機能を選べるように、予め、着信許可の通信機能の組み合わせについて複数パターンを登録しておく。この例では５種類の許可パターンのデータ構成について示す。符号３１の行は、許可パターンＮｏ．１に関するデータが登録され、符号３６の列に許可パターンＮｏ．「１」、符号３７の列に複数通信機能の着信許可が記憶され、「ＴＶ電話（×）、音声電話（×）、チャット（○）、メール（○）」が記憶されている。（×）は禁止、（○）は許可を意味する。符号３２〜３５の行も、許可パターンＮｏ．２〜５として、同様に許可パターンのデータが設定されて記憶される。
【００１９】
図６は、図５の着信許可記憶部の登録を表すフローチャートであり、図６（ａ）は、登録時のフローチャート、図６（ｂ）は、登録した中から１つを選択する時のフローチャートである。  
図６（ａ）において、登録時、ユーザの操作入力に従って、着信許可記憶部を読み出し（ステップＳ３１）、許可パターンＮｏ．１を指定して（ステップＳ３２）、複数の通信機能について着信を許可するか禁止するかの登録を行う。この例では、「ＴＶ電話（×）、音声電話（×）、チャット（○）、メール（○）」と決めて、着信許可記憶部に記憶する（ステップＳ３３）。
【００２０】
以下、同様にステップＳ３４〜Ｓ４１において、それぞれ異なる許可パターンとして、許可パターンＮｏ．２は「ＴＶ電話（×）、音声電話（×）、チャット（×）、メール（○）」、
許可パターンＮｏ．３は「ＴＶ電話（○）、音声電話（○）、チャット（×）、メール（×）」、
許可パターンＮｏ．４は「ＴＶ電話（×）、音声電話（○）、チャット（×）、メール（×）」、
許可パターンＮｏ．５は「ＴＶ電話（○）、音声電話（○）、チャット（○）、メール（○）」を登録する。
【００２１】
図６（ｂ）において、ユーザは、たとえば電車に乗る時に、着信許可記憶部を読み出して（ステップＳ５１）、所望の許可パターン、例えば、許可パターンＮｏ．１「ＴＶ電話（×）、音声電話（×）、チャット（○）、メール（○）」を選択する（ステップＳ５２）。これにより、音声で周りに迷惑をかけるＴＶ電話と音声電話を禁止し、迷惑をかけないチャットとメールを許可した状態にすることができる。  
なお、ＧＰＳなどの位置情報取得手段を利用し、位置情報に応じて許可パターンが自動的に選択されてもよい。
【００２２】
図７は、着信許可記憶部９のデータ構成を示す図であり、マナーモード等の状況モードと対応させる構成について示す。図５では、着信許可記憶部９は、着信側の着信許可パターンを複数設けたが、図７では、マナーモード等の状況モードに対応させて、着信許可パターンを設定するところが異なる。  
一般に携帯電話端末は、マナーモードやドライブモード等の状況モードの設定ができる。一般のマナーモードでは、ＴＶ電話や音声電話の着信を禁止することは行わないで、着信をバイブレータでユーザに報知する等の動作になる。しかし、ユーザはバイブレータで回りに迷惑をかけずに着信を知ることが出来ても、しかし、結局は音声を伴う通話は周りに迷惑をかける場合が多い。  
また、一般のドライブモードでは、電話にでることができない旨のアナウンスを返信し、録音状態にするなどの対応をしている。しかし、音声電話以外の他の通信手段を自動で起動することは行っていない。
【００２３】
図７において、符号４１の行は、マナーモードに関するデータとして、ユーザ操作により、符号４４の列に複数通信モードの着信許可が登録され、「ＴＶ電話（×）、音声電話（×）、チャット（○）、メール（○）」が記憶される。符号４２の行は、ドライブモードに関するデータとして、符号４４の列に「ＴＶ電話（×）、音声電話（×）、チャット（×）、メール（○）」が登録されて記憶される。
【００２４】
図８は、図７の着信許可記憶部の登録を表すフローチャートであり、図８（ａ）は、登録時のフローチャート、図８（ｂ）は、状況モードの選択を表すフローチャートである。  図８（ａ）において、登録時、ユーザは、着信許可記憶部を読み出し（ステップＳ６１）、マナーモードを指定して（ステップＳ６２）、複数の通信機能について着信を許可するか禁止するかの登録を行う。この例では、「ＴＶ電話（×）、音声電話（×）、チャット（○）、メール（○）」と設定して、着信許可記憶部に記憶する（ステップＳ６３）。次に、ドライブモードを指定して（ステップＳ６４）、「ＴＶ電話（×）、音声電話（×）、チャット（×）、メール（○）」と設定して、着信許可記憶部に記憶する（ステップＳ６５）。なお、これらの登録は、ユーザ操作ではなくてデフォルトで設定されていてもよい。
【００２５】
図８（ｂ）において、ユーザは、たとえば電車に乗る前に、通常のマナーモードを設定する（ステップＳ７１）。これにより、着信許可記憶部のマナーモードかドライブモードかを選択することなく、自動的に着信許可記憶部のマナーモードが選択され、「ＴＶ電話（×）、音声電話（×）、チャット（○）、メール（○）」が選択される。
【００２６】
図９は、着信時の制御を表すフローチャートである。図５、図６の複数種類の許可パターンを設けた場合、または、図７、図８の状況モード毎の許可パターンを設けた場合において、それらの許可パターンに対応して着信時の制御を行う。  
まず、着信の待ち受け状態において着信が有ると（ステップＳ８１の有り）、予め選択されている着信許可パターンを着信許可記憶部から読み出す（ステップＳ８２）。図５の例では、例えば、予め選択されている着信許可パターンがＮｏ．１だとすると、「ＴＶ電話（×）、音声電話（×）、チャット（○）、メール（○）」が読み出される。図７の例では、予めマナーモードが設定されているとすると、「ＴＶ電話（×）、音声電話（×）、チャット（○）、メール（○）」が読み出される。  
そして、ステップＳ８１での着信が音声電話だとすると、「ＴＶ電話（×）、音声電話（×）、チャット（○）、メール（○）」で許可されているかをチェックする（ステップＳ６３）。音声電話（×）で禁止されているので（ステップＳ８３でＮＯ）、着信の音声電話に対する応答は返信しないで、予め選択されている着信許可パターンＮｏ．１で許可されている通信種別を発信側へ送信し（ステップＳ８６）、終了する。
【００２７】
音声電話が許可されている場合は（ステップＳ８３でＹＥＳ）、発信側へ応答を返信し（ステップＳ８４）、その音声電話による通話を行う（ステップＳ８５）。
【００２８】
このように、ユーザは、たとえば電車に乗る前に、着信許可パターンを選択しておくか、マナーモード等の状況モードを設定することにより、受信したくない着信に応答することを防ぐことができる。
【００２９】
図１０は、発信側の発信制御を表すフローチャートであり、図９の着信側の制御に対応している。まず、発信側は通常の発信操作が有ると（ステップＳ９１の有り）、発信側のユーザが指定した通信機能により通信相手に対して発信処理を行う（ステップＳ９２）。発信に対する着信側からの応答をチェックし（ステップＳ９３）、無ければ（ステップＳ９３の無し）、終了する。ステップＳ７３で通常の応答が有れば（ステップＳ９３の有り）、ステップＳ９２で指定した通信機能の通信を行う（ステップＳ９４）。
【００３０】
ステップＳ９３で着信許可種別を受信した場合、これは、着信側が図９のステップＳ８６で送信した着信許可種別であるが、発信側は、受信した着信許可種別の通信機能の１個目を起動し、当該通信機能の通信相手アドレスを電話帳などを参照して設定し、発信する（ステップＳ９５）。そして、これに対する応答が有れば（ステップＳ９６で有り）、その通信を行う（ステップＳ９７）。  
ステップＳ９６で応答が無い場合は、受信した着信許可種別の通信機能の２個目を起動し、当該通信機能の通信相手アドレスを電話帳などを参照して設定し、発信する（ステップＳ９８）。そして、これに対する応答が有れば（ステップＳ９９で有り）、その通信を行う（ステップＳ１００）。  
図示しないが、受信した着信許可種別の通信機能の３個目以降があれば、同様に継続する。
【００３１】
なお、ステップＳ９５、Ｓ９８において、自動で、通信機能の起動、宛先設定、発信を行ったが、発信については、ユーザが最終決定するようにしてもよい。  
また、実施例１の発信側の発信優先度設定と、実施例２とを組み合わせて実施しても良い。その場合、発信側は、最初は発信優先度で起動するが、着信側から着信許可種別を受信した場合には、発信優先度に関係なく、受信した着信許可種別で発信動作を行うようにしてもよい。
【００３２】
このように実施例２によれば、着信側のユーザは予め、複数の着信許可パターンの登録を行い、更にユーザが置かれる状況に応じて着信許可パターンの１つを選択しておくことにより、着信が有った時に自動でその着信に最適の対応を行うことができる。又、発信側の携帯電話端末は、着信側が着信許可した通信種別を自動で起動することができ操作性が向上する。
【図面の簡単な説明】
【００３３】
【図１】本発明の各実施例に係る携帯電話端末のブロック図。
【図２】本発明の実施例１に係る携帯電話端末の電話帳メモリのデータ構成図。
【図３】本発明の実施例１に係る携帯電話端末の発信側の発信優先度の登録を表すフローチャート。
【図４】本発明の実施例１に係る携帯電話端末の発信時の制御を表すフローチャート。
【図５】本発明の実施例２に係る携帯電話端末の着信許可記憶部のデータ構成図（複数種類の許可パターン）。
【図６】本発明の実施例２に係る携帯電話端末の着信側の着信許可記憶部の登録および選択を表すフローチャート（複数種類の許可パターン）。
【図７】本発明の実施例２に係る携帯電話端末の着信許可記憶部のデータ構成図（状況モード毎）。
【図８】本発明の実施例２に係る携帯電話端末の着信側の着信許可記憶部の登録および選択を表すフローチャート（状況モード毎）。
【図９】本発明の実施例２に係る携帯電話端末の着信時の制御を表すフローチャート。
【図１０】本発明の実施例２に係る携帯電話端末の発信時の制御を表すフローチャート。
【符号の説明】
【００３４】
１  カメラ
２  表示器
３  マイク
４  スピーカ
５  キー入力部
６  制御部
７  電話帳メモリ
８  発信優先度記憶部
９  着信可能記憶部
１０  通信部
１１  アンテナ
６１  ＴＶ電話制御部
６２  音声電話制御部
６３  チャット制御部
６４  メール制御部
６５  発信優先度設定部
６６  着信状況モード設定部
６７  着信許可設定部
【図１】
2006140664.tif 000003
【図２】
2006140664.tif 000004
【図３】
2006140664.tif 000005
【図４】
2006140664.tif 000006
【図５】
2006140664.tif 000007
【図６】
2006140664.tif 000008
【図７】
2006140664.tif 000009
【図８】
2006140664.tif 000010
【図９】
2006140664.tif 000011
【図１０】
2006140664.tif 000012